(57)【要約】【課題】携帯電話機を所有していない高齢者を含む多くの人々が安心して外出することができるようにすると共に、携帯電話機を所有している人が携帯電話機を家等に置き忘れて外出した際に安心して行動することができるようにする。【解決手段】公衆電話機２１と、該公衆電話機２１により緊急連絡するための１１０番ボタン２３及び１１９番ボタン２５と、自動販売機の前方を撮影するカメラ２７と、夜間救急病院等を表示する電光掲示板２９とを備えていることを特徴とする自動販売機。【選択図】図１
0003127589.tif 000002
【実用新案登録請求の範囲】
【請求項１】
公衆電話機と、該公衆電話機により緊急連絡するための１１０番ボタン及び１１９番ボタンと、自動販売機の前方を撮影するカメラと、夜間救急病院等を表示する電光掲示板とを備えていることを特徴とする自動販売機。
【考案の詳細な説明】
【技術分野】
【０００１】
本考案は、自動販売機に関するものであり、例えば、清涼飲料、果実飲料、ビール、酒、タバコ等の商品を販売するための自動販売機に係るものである。
【背景技術】
【０００２】
近年、自動販売機は路傍、広場、建物内その他種々の場所に多数設置されている。
【０００３】
実開平５−３０９８４号公報は、照明器具を内蔵した広告パネルを自動販売機の本体ケース側面に取り付けたことを特徴とする自動販売機を開示している。
【特許文献１】実開平５−３０９８４号公報
【考案の開示】
【考案が解決しようとする課題】
【０００４】
従来、公衆電話機は到る所に多数配設されていたのであるが、近年における携帯電話機の普及に伴い、公衆電話機はその大部分が姿を消した。
【０００５】
携帯電話機が広く普及した今日においても、高齢者を含む多くの人々は携帯電話機を所有していない。また、携帯電話機を所有している人が携帯電話機を家等に置き忘れて外出することもある。
【０００６】
携帯電話機を所持することなく外出した際に電話連絡をする必要が生じた場合、公衆電話機を探すのに苦労することが多い。
【０００７】
特に、携帯電話機を所持することなく外出した際に警察機関、消防機関等に緊急連絡をする必要が生じた場合、公衆電話機が近くに見つからないときには深刻な結果が生ずるおそれがある。
【０００８】
また、携帯電話機を所持することなく夜間に外出した際に治療を受ける必要が生じた場合、夜間救急病院を探すことは困難である。
【０００９】
以上の如き状況に鑑み、本考案は、携帯電話機を所有していない高齢者を含む多くの人々が安心して外出することができるようにすると共に、携帯電話機を所有している人が携帯電話機を家等に置き忘れて外出した際に安心して行動することができるようにしようとしてなされたものである。
【課題を解決するための手段】
【００１０】
上記課題を解決するために、本考案は、路傍、広場、建物内その他種々の場所に多数設置されている自動販売機に着目し、自動販売機に必要な機能を備えさせることに想到した。
【００１１】
即ち、本考案は、下記の自動販売機を提供するものである。
【００１２】
公衆電話機と、該公衆電話機により緊急連絡するための１１０番ボタン及び１１９番ボタンと、自動販売機の前方を撮影するカメラと、夜間救急病院等を表示する電光掲示板とを備えていることを特徴とする自動販売機。
【考案の効果】
【００１３】
自動販売機は、路傍、広場、建物内その他種々の場所に多数設置されているため、自動販売機を見つけることは極めて容易である。従って、携帯電話機を所有していない高齢者を含む多くの人々、或いは、携帯電話機を所有しているものの携帯電話機を家等に置き忘れて外出した人は、必要時に、最寄の自動販売機を見つけ、自動販売機に備えさせた公衆電話機を利用し、更には該公衆電話機により緊急連絡するための１１０番ボタン又は１１９番ボタンを利用し、又は、電光掲示板により夜間救急病院等を知ることができる。
【００１４】
自動販売機の前方を撮影するカメラは、自動販売機の利用者を撮影する。従って、自動販売機に対するイタズラ等が防止されるだけでなく、特に、１１０番ボタン又は１１９番ボタンを利用する緊急連絡者を撮影した画像を警察機関又は消防機関に送信することにより、警察機関又は消防機関等は緊急連絡者の画像を見ながら必要な措置を講ずることができる。更に、公衆電話の利用者が病院と通話するときには、該利用者を撮影した画像を病院が受信することにより、病院は利用者の様子を画像により確認しつつ、該利用者と通話し、必要な措置を講ずることができる。
【００１５】
故に、携帯電話機を所有していない高齢者を含む多くの人々も安心して外出することができる。また、携帯電話機を所有している人が携帯電話機を家等に置き忘れて外出した際にも安心して行動することができる。
【考案を実施するための最良の形態】
【００１６】
まず、本考案の自動販売機が従来の自動販売機と共通する点について説明する。
【００１７】
自動販売機は、商品画像を表示し又は商品見本を内設する複数のディスプレイ１、１・・・と該ディスプレイ１、１・・・に対応する選択ボタン３、３・・・とを備えている。
【００１８】
符号５に示すものはコイン投入口、符号７に示すものは札投入口、符号９に示すものはつり銭取り出し口である。
【００１９】
自動販売機は、下部に商品取り出し口１１を備えている。
【００２０】
この自動販売機においては、使用者がディスプレイ１、１・・・により所望の商品を決め、当該ディスプレイ１に対応する選択ボタン３を押したときには、所望の商品が商品取り出し口１１に現れる。
【００２１】
しかして、本考案の自動販売機は、公衆電話機２１と、該公衆電話機２１により緊急連絡するための１１０番ボタン２３及び１１９番ボタン２５と、自動販売機の前方を撮影するカメラ２７と、夜間救急病院等を表示する電光掲示板２９とを備えている。
【００２２】
公衆電話機２１は、従来の公衆電話機とほぼ同様のものであり、緊急連絡以外の通常の使用時には有料である。公衆電話機２１は、好ましくは、地中に埋設した電話線２２を備えている。
【００２３】
警察機関に対する緊急連絡用の１１０番ボタン２３及び消防機関に対する緊急連絡用の１１９番ボタン２５は、料金を支払うことなく単に押圧するのみで、公衆電話機２１により緊急連絡することができるようにしたものである。
【００２４】
自動販売機の前方を撮影するカメラ２７は自動販売機の使用者を撮影する。１１０番ボタン又は１１９番ボタンを利用する緊急連絡者を撮影した画像は、警察機関又は消防機関に送信される。公衆電話２１の利用者が病院と通話するときには、該利用者を撮影した画像は、当該病院に送信される。符号２８ａに示すものは、公衆電話２１の使用者が１１０番ボタンにより警察機関に連絡している間、当該警察機関における担当官等の映像を示す画面であり、符号２８ｂに示すものは、公衆電話２１の使用者が１１９番ボタンにより消防機関に連絡している間、当該消防機関における担当官等の映像を示す画面である。符号３０に示すものは、公衆電話２１の使用者が医療機関に連絡している間、当該医療機関における医師、看護師等の映像を示す画面である。
【００２５】
電光掲示板２９は、夜間救急病院等を表示するものであるが、適宜広告等を表示するものであっても差し支えない。
【００２６】
なお、自動販売機には、公衆電話の利用者が使用する椅子を適宜備えさせてもよい。
【図面の簡単な説明】
【００２７】
【図１】本考案による自動販売機の一例を示す斜視図である。
【符号の説明】
【００２８】
１  ディスプレイ
３  選択ボタン
５  コイン投入口
７  札投入口
９  つり銭取り出し口
１１  商品取り出し口
２１  公衆電話機
２２  電話線
２３  １１０番ボタン
２５  １１９番ボタン
２７  カメラ
２８ａ  画面
２８ａ  画面
２９  電光掲示板
３０  画面
【図１】
0003127589.tif 000003